(57)【要約】【課題】ディスペンサーアセンブリ（１２０）は、ポーチまたはパケット構造（１７２）を開封するためのものである。【解決手段】ディスペンサーアセンブリ（１２０）は、内部空洞を有する容器構造を備える。空洞は、パケット構造（１７２）がその空洞内に収容することができるように十分な容積を有する。ディスペンサーアセンブリ（１２０）は、ポーチまたはパケット構造（１７２）を切断するためのカッター（１６０）を備える。カッターは、容器に固定されるか、または取り外し可能に収容される。カッターは、スライダー構造、ギロチンカッター、またはＵ字形部材によって構成され得る。【選択図】図１５
2009537235.tif 000002
【特許請求の範囲】
【請求項１】
パケット構造のためのディスペンサーアセンブリであって、前記ディスペンサーアセンブリは、
内部空洞を有する容器構造であって、前記空洞は前記パケット構造が前記空洞内に収容され得るように十分な容積を有する容器構造と、
前記パケット構造を切断するために前記容器構造に固定されたカッター構造と、を備えるディスペンサーアセンブリ。
【請求項２】
前記容器構造は外面を有し、前記カッター構造は前記外面に固定される、請求項１に記載のディスペンサーアセンブリ。
【請求項３】
前記カッター構造は、前記容器構造に取り付けられる支持構造を含み、
前記カッター構造は、前記パケット構造を切断するためにスライダー構造が前記支持構造に対して動き得るように、前記支持構造に接続される前記スライダー構造をさらに備える、請求項１に記載のディスペンサーアセンブリ。
【請求項４】
前記容器構造は、本体構造および前記空洞への接近を与えるように前記本体構造に取り外し可能に接続されるキャップ構造を備え、
前記支持構造は、前記キャップ構造に対して細長く、延在する、請求項３に記載のディスペンサーアセンブリ。
【請求項５】
請求項１に記載のディスペンサーアセンブリを含むキットであって、前記キットは、特定の強さより小さい引き裂く力によって引き裂かれることに抵抗がある材料から形成されるパケット構造をさらに含み、前記材料は前記カッター構造によって切断可能である、キット。
【請求項６】
前記引き裂く力の前記特定の強さは、前記パケット構造が子供に抵抗性のあるように十分に大きい、請求項５に記載のキット。
【請求項７】
前記パケット構造と共に含まれるストリップ構造をさらに含む、請求項５に記載のキット。
【請求項８】
前記ストリップ構造は、消化可能であり、薬学的物質で含浸される、請求項７に記載のキット。
【請求項９】
前記パケット構造は、前記ストリップ構造が含まれる内部空洞を有するエンベロープ構造を含み、前記エンベロープ構造は、前記エンベロープ構造の空洞内の前記ストリップ構造への接近を与えるように前記カッター構造によって切断され得る開口部端を有し、
前記パケット構造は、前記エンベロープ構造につながれる位置表示構造をさらに含み、前記位置表示構造は、前記ストリップ構造と前記開口部端との間に最小の隙間を維持する、請求項７に記載のキット。
【請求項１０】
前記エンベロープ構造は、前記開口部端と交わる１対の側部端を有し、
前記位置表示構造は、１対のシェブロン構造を含み、前記シェブロン構造の各々は、前記側部端のそれぞれ１つと一体化し、それによって、前記シェブロン構造の各々と前記開口部端との間の側面寸法が、前記最小の隙間と少なくとも同じ大きさである、請求項９に記載のキット。
【請求項１１】
パケット構造のためのスライディングカッターであって、前記スライディングカッターは、
前記パケット構造を支持するための切断面を有するフレーム構造と、
切断端を有するカッター構造であって、前記カッター構造は、前記パケット構造を前記切断面に配置させる開口位置に前記カッター構造を配置するための前記切断面に対して前記カッター構造を動かすための前記フレーム構造によって支持され、前記カッター構造の動きおよび前記切断面に対する前記動きの方向は、前記カッター構造に配置された前記パケット構造を切断するために前記切断面と一致する面と交わる方向における切断位置に前記カッター構造を動かせる方向である、カッター構造と、を備えるスライディングカッター。
【請求項１２】
前記カッター構造は、前記切断面と一致する前記面が、前記開口位置から前記切断位置までの前記カッター構造の動きの方向に垂直であるように前記フレーム構造に対して方向付けられ、それによって、前記スライディングカッターはギロチンカッターを規定する、請求項１１に記載のスライディングカッター。
【請求項１３】
前記カッター構造は、前記切断端を規定する端部を有するブレード構造を備え、前記ブレード構造は、前記開口位置と前記切断位置との間で動くために前記フレーム構造によって支持される、請求項１１に記載のスライディングカッター。
【請求項１４】
前記ブレード構造は、ベース端を規定し、前記切断端に平行である端部を有し、前記カッター構造が前記開口位置にある場合、前記ブレード構造は、前記切断端が前記ベース端と切断面との間に配置されるように前記フレーム構造によって支持される、請求項１３に記載のスライディングカッター。
【請求項１５】
前記カッター構造は、前記ベース端に固定されるタブ構造を備える、請求項１４に記載のスライディングカッター。
【請求項１６】
前記フレーム構造は、
前記カッター構造が支持される内側のガイド構造と、
前記切断面を規定する平面を有するベース構造であって、前記ベース構造は、前記切断面にパケット構造を配置するための隙間を与えるように前記ガイド構造に取り付けられ、前記切断面は、前記開口位置と前記切断位置との間で前記切断面の動く方向に垂直である、ベース構造と、を備える請求項１１に記載のスライディングカッター。
【請求項１７】
前記ベース構造と前記ガイド構造との間の前記隙間は細長い、請求項１６に記載のスライディングカッター。
【請求項１８】
前記フレーム構造は排出部を備える、請求項１６に記載のスライディングカッター。
【請求項１９】
前記開口位置から前記切断位置までの前記カッター構造の動きが、伸縮バネによって抵抗があるように、前記カッター構造および前記フレーム構造に接続された前記伸縮バネをさらに備える、請求項１１に記載のスライディングカッター。
【請求項２０】
１つまたは複数のパケット構造のためのディスペンサーアセンブリであって、前記ディスペンサーアセンブリは、
内部空洞を有する容器構造であって、前記空洞は、前記１つまたは複数のパケット構造を前記空洞の中に収容するのに十分な容積を有する、容器構造と、
請求項１１に記載のスライディングカッターであって、前記スライディングカッターは、前記１つまたは複数のパケット構造を切断するために前記容器構造に固定される、スライディングカッターと、を備えるディスペンサーアセンブリ。
【請求項２１】
前記カッター構造は、前記切断面が前記開口位置から前記切断位置まで前記切断面に動く方向に垂直であるように、前記フレーム構造に対して方向付けられ、それによって、前記スライディングカッターはギロチンカッターを規定する、請求項２０に記載のディスペンサーアセンブリ。
【請求項２２】
パケット構造のためのハンドヘルドカッターであって、前記ハンドヘルドカッターは、
切断端を有するカッター構造と、
内部領域を部分的に囲むフレーム構造とを備え、前記カッター構造は、前記カッター構造が前記内部領域に配置されるように前記フレーム構造に接続され、前記カッター構造は、前記切断端への接近が前記フレーム構造によって制限されるように前記フレーム構造に対して方向付けられる、ハンドヘルドカッター。
【請求項２３】
前記フレーム構造は、前記内部領域が平面であるように前記内部領域に規定される範囲内でＵ字形部材を備え、前記Ｕ字形部材は、ギャップ領域に規定される間に端部を有し、
前記カッター構造は、前記切断端を規定する端部を有するブレード構造を備え、前記ブレード構造は、前記ブレード構造が、前記ブレード構造に対して同一平面の前記内部領域内に配置されるように前記Ｕ字形部材に接続され、前記ブレード構造は、前記切断端への前記制限された接近が、前記ギャップ領域によって与えられるように前記Ｕ字形部材に対して方向付けられる、請求項２２に記載のハンドヘルドカッター。
【請求項２４】
１つまたは複数のパケット構造のためのディスペンサーアセンブリであって、前記ディスペンサーアセンブリは、内部空洞を有する容器構造であって、前記空洞は、前記１つまたは複数のパケット構造を前記空洞の中に収容するための十分な容積を有する、容器構造と、
請求項２２に記載のハンドヘルドカッターであって、前記ハンドヘルドカッターは、前記容器構造内に取り外し可能に収容される、ハンドヘルドカッターと、を備えるディスペンサーアセンブリ。
【請求項２５】
１つまたは複数のパケット構造のためのディスペンサーアセンブリであって、前記ディスペンサーアセンブリは、
内部空洞を有する容器構造であって、前記空洞は、前記１つまたは複数のパケット構造を前記空洞の中に収容するための十分な容積を有する、容器構造と、
前記容器構造内に取り外し可能に収容されるハンドヘルドカッターであって、前記ハンドヘルドカッターは、前記１つまたは複数のパケット構造を切断するために与えられる、ハンドヘルドカッターと、を備えるディスペンサーアセンブリ。
【発明の詳細な説明】
【技術分野】
【０００１】
（関連出願への相互参照）
本出願は、２００６年５月１９日に出願された米国仮特許出願第６０／８０１，９０７号明細書および２００７年４月１０日に出願された米国仮特許出願第６０／９２２，６０１号明細書の優先権および利益を主張し、それらの全ては本明細書中に参照として援用される。
【０００２】
（発明の分野）
本発明は、概して、ポーチカッター、より具体的にはフィルムストリップを含むポーチまたはパケットを収容するカッターおよび容器に関する。このカッターは容器に固定されるか、または容器に取り外し可能に収容される。
【背景技術】
【０００３】
薬剤および同様の物質は、通常、比較的正確な量で摂取されることを必要とする。摂取のためにそのような比較的正確な量の薬剤を提供するための１つの技術は、比較的正確な量の薬剤を溶解可能なフィルムストリップに含浸することである。次いで、使用者はフィルムストリップを彼らの口の中に入れ、比較的正確な量の薬剤を受け入れることができる。
【０００４】
医薬は頻繁に治療を促進するために切断部および創傷部に付与される。皮膚の切断部および創傷部にそのような医薬を付与するための１つの技術は、医薬をフィルムストリップに含浸させることである。次いで、使用者はフィルムストリップを切断部または創傷部および近接皮膚にしばしば置き、それによって、フィルムストリップ上の医薬は切断部または創傷部に移される。医薬が切断部または創傷部に移された後、フィルムストリップは溶解され得るか、または取り外され得る。
【０００５】
このような含浸されたフィルムストリップは、使用者によって摂取または付与される前に保存するためにポーチまたはパケット内に含まれ得る。このようなポーチまたはパケットはフィルムストリップを保護し、使用者によって摂取または付与される前に制御された環境において薬剤または医薬を維持する。
【０００６】
ポーチまたはパケットは、通常、使用者によってポーチまたはパケットを手動で引き裂かれることによって開封され、その中のフィルムストリップが得られる。好ましくは、ポーチまたはパケットを引き裂くことによって開封するために必要とする引き裂く力および手先の器用さは制限されて、ポーチまたはパケットは容易に開封され得る。ポーチまたはパケットが、手先の力および器用さが制限された人に使用される場合、ポーチまたはパケットのこの特性は特に利点がある。このような制限された手先の強さおよび器用さは高齢者に見られ、特に、関節炎を患っている人に見られる。また、このような制限された手先の強さおよび器用さは、例えば、手を負傷している人、手術を受けた人、または他の有害な病状の人の全ての年代に見られる。
【０００７】
ポーチまたはパケットの使用の別の態様は、ポーチまたはパケットは開封することが難しい方が好ましいことである。この態様は、子供への抵抗性およびより具体的には、ポーチまたはパケットを子供が開封することが難しいことに関連する。この特性を有するポーチまたはパケットを提供することは、子供がポーチまたはパケット内のフィルムストリップを手に取る可能性を減少させる。しばしば、フィルムストリップが含浸された薬剤または他の物質は、子供に直接手に取らせないことが好ましくなる。このことは、通常、子供の能力を超えている薬剤または他の物質の適切な使用に関して重要になる。
【０００８】
子供に抵抗性のある所望のポーチまたはパケットを作製することは、制限された手先の力または器用さを有する大人にとっても開封することが難しくなり得る。従って、ポーチまたはパケット構造および製造は困難になり得る。
【発明の概要】
【発明が解決しようとする課題】
【０００９】
本発明のディスペンサーアセンブリは、ポーチまたはパケット構造を開封するためのものである。
【課題を解決するための手段】
【００１０】
本発明のディスペンサーアセンブリは、内部空洞を有する容器構造を備える。この空洞は、パケット構造がその空洞の中に収容され得るのに十分な容積である。このディスペンサーアセンブリは、ポーチまたはパケット構造を切断するためのカッターを備える。このカッターは容器に固定されるか、または取り外し可能に容器内に収容される。このカッターは、スライダー構造、ギロチンカッター、またはＵ字形部材によって構成され得る。
【００１１】
このカッターは、手で引き裂くことによって開封するのが難しいポーチまたはパケット構造を容易に切断することができる。従って、ポーチまたはパケット構造は、子供によって開封することが十分に難しくなり、子供への抵抗性の必要を満たすことができる。このカッターはまた、子供によって操作することが難しいように構成されて、さらに子供への抵抗性を与え得る。しかしながら、このカッターは、制限された手先の力および器用さを持つ大人に容易に操作可能であるように構成され、ポーチまたはパケット構造を切断して、その中に含まれるフィルムストリップを得ることができる。従って、このディスペンサーアセンブリは、制限された手先の力および器用さを持つ大人がポーチまたはパケット構造を容易に開封することができるが、子供への抵抗性を与える。
【図面の簡単な説明】
【００１２】
【図１】本発明のディスペンサーアセンブリの斜視図であり、示されるディスペンサーアセンブリは、ストリップ構造を含むパケット構造を収容する容器構造を有する。
【図２】図１のディスペンサーアセンブリの正面図である。
【図３】図２のディスペンサーアセンブリの線３−３で示された面の横断面図であり、そのカッターアセンブリを示す。
【図４】図２のディスペンサーアセンブリの線４−４で示された面の横断面図であり、カッターアセンブリのスライダー構造を示す。
【図５】図１のディスペンサーアセンブリに配置されるパケット構造の１つの正面図である。
【図６】図１のディスペンサーアセンブリの斜視図であり、切断するためにカッターアセンブリに配置されたパケット構造の１つを示す。
【図７】カッターアセンブリによりパケット構造を切断した後の図６のディスペンサーアセンブリおよびパケット構造の斜視図である。
【図８】図１のディスペンサーアセンブリの代替の第２の実施形態の斜視図であり、フィルムストリップを含むパケット構造を収容する容器構造を有するディスペンサーアセンブリを示す。
【図９】図８のディスペンサーアセンブリの正面図である。
【図１０】図９のディスペンサーアセンブリの線１０−１０で示された面の横断面図であり、スライディングカッターを示す。
【図１１】図９のディスペンサーアセンブリの線１１−１１で示された面の横断面図であり、スライディングカッターのベースおよびカッター構造を示す。
【図１２】図８のディスペンサーアセンブリに配置されたパケット構造の１つの正面図である。
【図１３】切断するためにスライディングカッターに配置されたパケット構造の１つを示す図８のディスペンサーアセンブリの斜視図である。
【図１４】スライディングカッターによりパケット構造を切断した後の図１３のディスペンサーアセンブリおよびパケットの斜視図である。
【図１５】ベースおよびカッター構造を示すスライディングカッターの分解図である。
【図１６】図１のディスペンサーアセンブリの代替の第３の実施形態の斜視図であり、フィルムストリップを含むパケット構造を収容する容器構造を有するディスペンサーアセンブリを示す。
【図１７】図１６のディスペンサーアセンブリおよびパケット構造の斜視図であり、ハンドヘルドカッターによるパケット構造の切断を示す。
【発明を実施するための形態】
【００１３】
本発明のこれらおよび他の特性は、添付の図面と併せて以下の本発明の具体的な実施形態からより十分に理解されるだろう。
【００１４】
対応する参照数字はいくつかの図面にわたって対応する部分を示す。
【００１５】
図面、より具体的には図１および図２を参照すると、ディスペンサーアセンブリ２０は、内部空洞２４を有する容器構造２２を備える。容器構造２２は、外面２７を有する本体構造２６を備える。空洞２４は本体構造２６内に配置される。本体構造２６は、前面３０、裏面３２、２組の側面３４、３６、および１組の底面３８を有する。
【００１６】
容器構造２２は、ヒンジ構造によって本体構造２６に接続されるキャップ構造２８を有する。ヒンジ構造によって、キャップ構造２８は開口位置と閉鎖位置との間で動くことができる。キャップ構造２８が開口位置にある場合、空洞２４へ接近することができる。
【００１７】
キャップ構造２８が閉鎖位置にある場合、本体構造２６へのキャップ構造２８の接続により、子供に抵抗性のある容器構造２２を与えることができる。子供に抵抗性のある容器構造２２は、通常、子供が閉鎖位置から開口位置へとキャップ構造２８を動かすことを防止する。
【００１８】
ディスペンサーアセンブリ２０は、支持構造４４を有するカッターアセンブリ４２によって規定されるカッター構造を備える。支持構造４４は、対向端４８、５０を有する細長いチャネル部材４６を備える。支持構造４４は、チャネル部材４６内に細長い空洞５２を有する。支持構造４４は、チャネル部材４６と一体化する凸部材４５を備える。凸部材４５は、側面３６の間にある溝４７に延在する。凸部材４５およびチャネル部材４６は、アクリレートまたは熱溶接などによって側面３６に固定される。溝４７内への凸部材４５の伸張および側面３６への凸部材の接続によって、凸部および溝の接続が規定される。溝４７は、溝の端部に狭い幅を有し得、側面３６に対して凸部材４５の長手軸方向の動きを遮る。溝４７の端部は、このような凸部材４５の長手軸方向の動きをさらに遮るために閉じることができる。
【００１９】
カッターアセンブリ４２は、タブ構造５４およびそのタブ構造に接続されるブレード構造５６を備えるスライダー構造５３を有する。ブレード構造５６は、切断するために鋭利な環状本体５７および外縁５８を有する。タブ構造５４へのブレード構造５６の接続により、タブ構造に対して環状本体５７を回転することができる。
【００２０】
タブ構造５４は、ブレード構造５６が空洞５２内に延びるようにチャネル部材４６に取り付けられる。チャネル部材４６へのタブ構造５４の接続により、端部４８、５０の間の支持構造４４に対してスライダー構造５３を動かすことができる。
【００２１】
ディスペンサーアセンブリ２０は、空洞２４に収容される１つまたは複数のポーチまたはパケット構造６０を含むキット中に包含される。空洞２４は、１つまたは複数のパケット構造６０がその空洞の中に収容され得るのに十分な容積を有する。パケット構造６０の各々は、ストリップ構造が含まれる内部空洞を有するエンベロープ構造６２を備える。パケット構造６０の各々は、パケット構造の空洞が配置される間に対向する側面層を有する。側面層の各々は、四角形の層の構造を有するパケット構造６０を与える内部ライナーおよび外層を有する。パケット構造６０の内部ライナーは、金属箔材料から形成され得る。
【００２２】
パケット構造６０の外層は、特定の強さより小さい引き裂く力によって引き裂くことに抵抗がある材料から形成される。引き裂く力の特定の強さは、パケット構造６０が子供に抵抗性があるように十分に大きい。パケット構造６０の外層の材料は、適切な器具（例えばカッターアセンブリ４２）によって切断され得る。
【００２３】
エンベロープ構造６２は、開口部端６４およびその開口部端と交わる１組の側部端６６、６８を有する。パケット構造６０の各々は、エンベロープ構造６２につながれる位置表示構造を有する。図５に示される位置表示構造は、１組のシェブロン構造７０、７２によって規定され、そのシェブロン構造の各々は、側部端６６、６８のそれぞれ１つと一体化する。シェブロン構造７０、７２は、対応するパケット構造６０の空洞の長手軸方向の寸法７４を減少させて、パケット構造６０内に収容されるストリップ構造と相応する寸法より小さいサイズにする。従って、ストリップ構造が、パケット構造６０内でシェブロン構造７０、７２の間の部分７５へと側部に動くことを防ぐ。これにより、シェブロン構造７０、７２の各々と開口部端との間の側面寸法７６と少なくとも同じ大きさである開口部端６４と、ストリップ構造との間の側面の隙間が維持される。
【００２４】
パケット構造６０は、１つまたは両方の外層の外面にしるしを有する。そのしるしは、シェブロン構造７０、７２の近くに位置する。そのしるしは、カッターアセンブリ４２が作動する場合、ブレード構造５６に対するシェブロン構造７０、７２の位置を示す。
【００２５】
開口部端６４は、図７に示されるようにカッターアセンブリ４２によって切断されて、エンベロープ構造６２の空洞内のストリップ構造に接近できる。切断は、図６に示されるようにチャネル部材４６の端部４８に隣接するスライダー構造５３を最初に位置決めすることによってもたらされる。
【００２６】
次いで、図６に示されるようにパケット構造６０は、チャネル部材４６およびスライダー構造５３に対して配置される。パケット構造６０のこの位置において、チャネル部材４６は、開口部端６４と本体構造２６との間の側部に配置される。パケット構造６０のこの位置により、シェブロン構造７０、７２はブレード構造５６と実質的に同じ側部位置を有するようになる。エンベロープ構造６２の外面に印刷されるしるしは、シェブロン構造７０、７２がブレード構造５６と実質的に同じ側部位置を有するようにパケット構造６０がカッターアセンブリ４２に対して配置されていることを示す。
【００２７】
次いで、スライダー構造５３は、端部５０への方向においてチャネル部材４６に対して移動し、ブレード構造５６はパケット構造６０を切断する。ブレード構造５６は、最初に、そのブレード構造と実質的に同じ側部位置を生じるシェブロン構造７０と接触する。端部５０の方向へのスライダー構造５３の移動の継続は、ブレード構造５６がパケット構造６０の部分７５と接触することを生じる。スライダー構造５３のこの移動は、パケット構造６０から開口部端６４を切断する。パケット構造６０からの開口部端６４の切断は、ブレード構造５６がシェブロン構造７２を切断することによって完了する。図７に示されるように、切断の完了後、開口部端６４はパケット構造６０から完全に分離され、スライダー構造５３はチャネル部材４６の端部５０に隣接して位置する。
【００２８】
カッターアセンブリ４２によるパケット構造６０からの開口部端６４の切断により、ブレード構造５６に接触されないエンベロープ構造６２内にあるストリップ構造が与えられる。これは、ストリップ構造がパケット構造６０内で、ブレード構造５６によって切断される部分７５へと側部に移動することを防ぐシェブロン構造７０、７２によって与えられる。従って、シェブロン構造７０、７２により、側面寸法７６と少なくとも同じ大きさである開口部端６４と、ストリップ構造との間の側面の隙間の維持が与えられる。これにより、ストリップ構造と開口部端６４との間に最小の隙間が与えられる。
【００２９】
好ましくは、カッターアセンブリ４２は、子供が通常、そのカッターアセンブリ４２を用いてパケット構造６０を切断できないように子供に抵抗性がある。図６に示されるように、子供への抵抗性は、子供が通常、カッターアセンブリ４２に対してパケット構造６０を適切に配置できないようにカッターアセンブリ４２を構成することにより与えられ得る。また、子供への抵抗性は、子供が通常、パケット構造６０から開口部端６４を切断するために、図６に示されるスライダー構造の位置から図７に示されるスライダー構造の位置までスライダー構造５３を移動させることができないようにカッターアセンブリ４２を構成することによって与えられ得る。
【００３０】
開口部端６４がパケット構造６０から完全に切断された後、パケット構造は、カッターアセンブリ４２から取り外されて、エンベロープ構造６２内からストリップ構造を取り出すために開封される。ストリップ構造は消化可能であり、使用者により摂取されるために薬学的物質を含浸し得る。
【００３１】
ディスペンサーアセンブリ２０の代替の実施形態において、カッターアセンブリ４２は、本体構造２６に対して固定されるブレード構造５６を有する。このようなカッターアセンブリは、ブレード構造５６の外縁５８に対してパケット構造をスライドすることによってパケット構造６０から開口部端６４を切断するように構成され得る。
【００３２】
ディスペンサーアセンブリ２０の代替の実施形態において、カッターアセンブリ４２は、パケット構造６０から側部端６６、６８を切断するために与えられ得る。
【００３３】
ディスペンサーアセンブリ２０の代替の実施形態において、支持構造４４は側面３４に固定される。ディスペンサーアセンブリ２０のさらなる代替の実施形態において、支持構造４４は底面３８に固定される。
【００３４】
ディスペンサーアセンブリ２０の代替の実施形態において、カッター構造はレーザーカッターによって規定される。
【００３５】
パケット構造６０の代替の実施形態において、そのパケット構造は二層構造であるように、その対向側は同質であり得る。
【００３６】
ディスペンサーアセンブリ１２０の代替の実施形態を図８および図９に示す。ディスペンサーアセンブリ１２０は、内部空洞１２４を有する容器構造１２２を備える。容器構造１２２は、外面１２７を有する本体構造１２６を備える。空洞１２４は、本体構造１２６内に配置される。本体構造１２６は、前面１３０、裏面１３２、２対の側面１３４、１３６、および１対の底面１３８を有する。
【００３７】
容器構造１２２は、ヒンジ構造によって本体構造１２６に接続されるキャップ構造１３９を有する。ヒンジ構造は、開口位置と閉鎖位置との間で動くようにキャップ構造１３９を与える。キャップ構造１３９が開口位置にある場合、接近手段が空洞１２４に与えられる。
【００３８】
キャップ構造が閉鎖位置にある場合、本体構造１２６へのキャップ構造１３９の接続により、子供に抵抗性があるように容器構造１２２が与えられ得る。子供に抵抗性がある容器構造１２２は、通常、子供が閉鎖位置から開口位置までキャップ構造１３９を動かすことを防止する。
【００３９】
ディスペンサーアセンブリ１２０は、図１〜図４、図６および図７に示されるディスペンサーアセンブリ２０内に備えられるカッター構造の代替の実施形態であるスライドカッター１４０を備える。スライドカッター１４０は、ガイド構造１４４およびベース構造１４８を備えるフレーム構造１４２を有する。ベース構造１４８は、切断面１５０を規定する面を有する。図１０に示されるように切断面１５０は、ギャップ１５１によって分離される前部および後部を備える。ベース構造１４８およびガイド構造１４４は、隙間１５４がガイド構造とベース構造との間に与えられるようにモノリシック構造である。図８に示されるように隙間１５４は細長い。隙間１５４の前部は、排出部１４６を規定する。排出部１４６の代替の実施形態は、ベース構造１４８内に形成されて、切断面１５０の前部および後部からベース構造の底面まで下方へ延在するスリットまたは開口部によって与えられる。
【００４０】
フレーム構造１４２は、ベース構造１４８と一体化する凸部材１５６を備える。凸部材１５６は、側面１３６の間にある溝１５８内に延在する。凸部材１５６およびベース部材１４８は、例えばアクリレートまたは熱溶接によって側面１３６に固定される。溝１５８内への凸部材１５６の伸張および側面１３６への凸部材の接続は、凸部および溝の接続を規定する。溝１５８は、側面１３６に対して凸部材１５６の長手軸方向の動きを遮るために溝の端部に狭い幅を有し得る。溝１５８の端部は、凸部材１５６の長手軸方向の動きをさらに遮るために閉鎖され得る。
【００４１】
図８および図１３〜図１５に示されるようにスライディングカッター１４０は、ガイド構造１４４内に支持されるブレード構造１６２を有するカッター構造１６０を備える。ブレード構造１６２は、切断するための鋭利な刃先１６４を有する。ブレード構造１６２は、切断端１６４に平行なベース端部１６６を有する。カッター構造１６０は、ベース端部１６６に固定されるタブ構造１６８を備える。
【００４２】
図１３に示されるように、ガイド構造１４４によるブレード構造１６２の支持は、開口位置に位置するようにカッター構造１６０を与え、切断端１６４は、ベース端部１６６と切断面１５０との間に位置する。ガイド構造１４４による支持は、開口位置（図１３に示す）から切断位置（図８〜図１１および図１４に示す）までのブレード構造１６２の動きをさらに与える。図１０および図１１に示されるように、ブレード構造１６２が切断位置にある場合、切断端１６４はギャップ１５１内にある。
【００４３】
ガイド構造１４４によるブレード構造１６２の支持は、切断面１５０に垂直であるように開口位置と切断位置との間にブレード構造の移動の方向を与える。スライディングカッター１４０の代替の実施形態は、開口位置と切断位置との間のブレード構造１６２の移動の方向が切断面１５０に対して傾斜することを可能にし、それによって、移動の方向は切断面と一致する面に交わる。
【００４４】
図１１および図１５に示されるように、スライディングカッター１４０は、ガイド構造１４４およびブレード構造１６２に接続される１対の伸縮バネ１７０を備える。伸縮バネ１７０は、開口位置から切断位置までのブレード構造１６２の動きに抵抗がある。
【００４５】
ディスペンサーアセンブリ１２０は、空洞１２４に収容される１つまたは複数のポーチあるいはパケット構造を含むキットに備えられる。空洞１２４は、１つまたは複数のパケット構造１７２がその空洞に収容され得るように十分な容積を有する。パケット構造１７２の各々は、ストリップ構造が含まれる内部空洞を有するエンベロープ構造１７４を備える。パケット構造１７２の各々は、パケット構造の空洞が配置される間に対向する層を有する。対向する層の各々は、パケット構造１７２に四角形の層構造を与える内部ライナーおよび外部ライナーを有する。パケット構造１７２の内部ライナーは、金属箔材料から形成され得る。
【００４６】
パケット構造１７２の外層は、特定の強さより小さい引き裂く力によって引き裂かれることに抵抗がある材料から形成される。引き裂く力の特定の強さは、パケット構造１７２が子供に抵抗性があるように十分に大きい。パケット構造１７２の外層の材料は、適切な器具（例えばスライディングカッター１４０）によって切断され得る。
【００４７】
エンベロープ構造１７４は、開口部端１７６および開口部端と交わる１対の側部端１７８、１８０を有する。パケット構造１７２の各々は、エンベロープ構造１７４につながれた位置表示構造を有する。図１２に示されるように、位置表示構造は、各々が側部端１７８、１８０のうちのそれぞれの１つと一体化する１対のシェブロン構造１８２、１８４によって規定される。シェブロン構造１８２、１８４は、対応するパケット構造１７２の空洞の長手軸方向の容積１８６を、パケット構造内に収容されるストリップ構造の対応する容積より小さいサイズに減少させる。従って、ストリップ構造は、シェブロン構造１８２、１８４の間にあるパケット構造１７２の部分１８８までパケット構造１７２内の側部に動くことを遮られる。このことは、シェブロン構造１８２、１８４の各々と開口部端との間の側面の容積１９０と少なくとも同じ大きさの開口部端１７６と、ストリップ構造との間の側面の隙間を維持する。
【００４８】
パケット構造１７２は、外層の１つまたは両方の外面にしるしを有する。しるしは、シェブロン構造１８２、１８４の近くに配置される。しるしは、カッター構造１６０が開口位置から切断位置に移動する場合、ブレード構造１６２に対するシェブロン構造１８２、１８４の位置を示す。
【００４９】
図１４に示されるように、開口部端１７６はスライディングカッター１４０によって切断されて、エンベロープ構造１７４の空洞内のストリップ構造への接近手段を与える。図１３に示されるように、切断は、ガイド構造１４４に対する開口位置においてカッター構造１６０を最初に位置決めすることによって与えられる。カッター構造１６０は、伸縮バネ１７０がブレード構造１６８を開口位置に強制的に移動させるようにタブ構造１６８を解放することによって開口位置に配置される。
【００５０】
次いで、図１３に示されるように、パケット構造１７２は、フレーム構造１４２およびカッター構造１６０に対して配置される。この位置において、パケット構造１７２が開口位置から切断位置までのカッター構造１６０の移動の方向に垂直であるように、パケット構造１７２は切断面１５０上の平らな部分に配置される。また、フレーム構造１４２は、開口部端１７６と本体構造１２６との間の側部に配置される。パケット構造１７２のこの位置は、ブレード構造１６２と実質的に同じ側部位置を有するようにシェブロン構造１８２、１８４を与える。エンベロープ構造１７４の外面に印刷されるしるしは、パケット構造１７２がカッター構造１６０に対して配置されることを示し、それによって、シェブロン構造１８２、１８４は、ブレード構造１６２と実質的に同じ側部位置を有する。
【００５１】
次いで、カッター構造１６０は、伸縮バネ１７０の抵抗を克服するのに十分にタブ構造１６８を押し下げることによって切断面１５０の前部と後部との間のギャップ１５１の方向にフレーム構造１４２に対して移動される。カッター構造１６０の移動は、ブレード構造１６２がパケット構造１７２を切断するのに十分である。切断端１６４は最初に、パケット構造１７２の全体部分１８８と実質的に接触し、同時に、シェブロン構造１８２、１８４の側部位置は、ブレード構造１６２と実質的に同じになる。ギャップ１５１の方向へのカッター構造１６０の連続した移動により、切断端１６４は部分１８８の全体の厚さを通って移動し、同時に、スライディングカッター１４０は、ギロチンカッターを規定する。カッター構造１６０のこの移動は、パケット構造１７２から開口部端１７６を切断する。切断終了後、図１０および図１１に示されるように、切断端１６４はギャップ１５１内に配置される。これにより、図１４に示されるように、カッター構造１６０の切断位置が規定される。また、切断終了に続いて、図１４に示されるように、開口部端１７６は、パケット構造１７２から完全に分離されて、排出部１４６を通してフレーム構造から開口部端を取り除くことができる。排出部１４６を介する開口部端１７６の除去は、隙間１５４においてそれぞれのパケット構造１７２から切断されている開口部端１７６の蓄積の可能性を減少させる。
【００５２】
ベース構造１４８内に形成されて切断面１５０の前部および後部からベース構造の底面まで下方へ延びるスリットまたは開口部によって規定される排出部１４６の代替の実施形態は、パケット構造１７２から切断されている開口部端１７６を、空洞の下にスリットまたは開口部を介して強制的に落とす。これにより、隙間１５４においてそれぞれのパケット構造１７２から切断されている開口部端１７６の蓄積の可能性を減少させるフレーム構造１４２から開口部端１７６の除去が与えられる。
【００５３】
カッター構造１６０によるパケット構造１７２から開口部端１７６の切断は、ブレード構造１６２によって接触しないように、エンベロープ構造１７４内にあるストリップ構造を与える。これにより、シェブロン構造１８２、１８４は、ストリップ構造が、ブレード構造１６２によって切断される部分１８８までパケット構造１７２内の側部へ移動することを遮る。従って、シェブロン構造１８２、１８４は、側面寸法１９０と少なくとも同じ大きさの開口部端１７６と、ストリップ構造との間の側部の隙間の維持を与える。これにより、ストリップ構造と開口部端１７６との間に最小の隙間が与えられる。
【００５４】
スライディングカッター１４０は、好ましくは、子供が通常、スライディングカッターを用いてパケット構造１７２を切断できないように子供に抵抗性がある。図１３に示されるように、子供への抵抗性は、子供が通常、スライディングカッターに対してパケット構造１７２を適切に配置できないようにスライディングカッター１４０を構成することによって与えられ得る。また、子供への抵抗性は、子供が通常、パケット構造１７２から開口部端１７６を切断するために図１３に示されるカッター構造１６０の位置から図１４に示されるカッター構造１６０の位置までそのカッター構造１６０を移動できないようにスライディングカッター１４０を構成することによって与えられ得る。
【００５５】
開口部端１７６がパケット構造１７２から完全に切断された後、パケット構造はスライディングカッター１４０から取り除かれて、エンベロープ構造１７４内からストリップ構造を取り除くために開封される。ストリップ構造は、使用者に摂取されるために消化可能であり、薬学的物質を含浸され得る。あるいは、ストリップ構造は、皮膚の切断部または創傷部に適用するための医薬を含浸され得る。
【００５６】
ディスペンサーアセンブリ１２０の代替の実施形態において、スライディングカッター１４０は、パケット構造１７２から側部端１７８、１８０を切断するために与えられ得る。
【００５７】
ディスペンサーアセンブリ１２０の代替の実施形態において、フレーム構造１４２は側面１３４に固定される。ディスペンサーアセンブリ２０のさらなる代替の実施形態において、フレーム構造１４２は底面１３８に固定される。
【００５８】
パケット構造１７２の代替の実施形態において、その対向側は、パケット構造が２層であるように同質であり得る。
【００５９】
ディスペンサーアセンブリ２２０の代替の実施形態は、図１６および図１７に示される。図１６および図１７において、図８〜図１５に示される部分と相当する図１６および図１７に示される部分は、図８〜図１５の参照番号に「１００」を加えたものと同じ図８〜図１５の参照番号を有する。例えば、図１６における容器構造２２２は、図８〜図１１および図１３〜図１５における容器構造１２２に相当する。
【００６０】
ディスペンサーアセンブリ２２０は、容器構造２２２において、パケット構造２７２と一緒に、取り外されて保存されるハンドヘルドカッター２４０を備える。容器構造２２２からハンドヘルドカッター２４０の除去は図１６に示される。
【００６１】
ハンドヘルドカッター２４０は、内部領域が平面であり、Ｕ字形部材に部分的に囲まれるように内部領域２９４に規定されるＵ字形部材２９２を有するフレーム構造２４２を備える。Ｕ字形部材２９２は、ギャップ領域２９６に規定される間に端部を有する。
【００６２】
ハンドヘルドカッター２４０は、ブレード構造２６２を有するカッター構造２６０を備える。ブレード構造２６２は、切断するための鋭利な切断端２６４を有する。ブレード構造２６２は、そのブレード構造に対して同一平面の内部領域２９４内に配置されるように、Ｕ字形部材２９２に接続される。ブレード構造２６２は、切断端２６４への接近がギャップ領域２９６によって与えられるように、Ｕ字形部材２９２に対して方向付けられる。切断端２６４への接近は、Ｕ字形部材２９２によって制限される。
【００６３】
図１７に示されるように、ハンドヘルドカッター２４０は容器構造２２２から取り外されて、開口部端２７６はブレード構造２６２によって切断され、エンベロープ構造２７４の空洞内のストリップ構造へ接近を与える。図１７に示されるように、切断は最初に、シェブロン構造２８４と実質的に同じ側部位置を有するようにハンドヘルドカッター２４０を配置することによって与えられる。ハンドヘルドカッター２４０はさらに、シェブロン構造２８４に隣接するパケット構造２７２の部分２８８が、内部領域２９４内にあるように配置される。ハンドヘルドカッター２４０のさらなる配置は、通常、パケット構造２７２に対して垂直であるシェブロン構造２８２およびブレード構造２６２の方向に延びるようにＵ字形部材２９２の脚の方向に向きを合わせられる。
【００６４】
ハンドヘルドカッター２４０は、切断端２６４が最初に、シェブロン構造２８４と交わる点で部分２８８と接触するように、パケット構造２７２に対して長手軸方向に移動する。図１７に示されるように、ハンドヘルドカッター２４０の移動は、シェブロン構造２８２の方向において切断端２６４が部分２８８を徐々に切断するように継続される。シェブロン構造２８２、２８４は、エンベロープ構造２７４内にあるストリップ構造がパケット構造２７２内の側部へ移動することを遮る。従って、ストリップ構造は、シェブロン構造１８２、１８４のためにブレード構造１６２に接触されないエンベロープ構造１７４内にあるストリップ構造と同じようにブレード構造２６２に接触されない。
【００６５】
ハンドヘルドカッター２４０の移動は、切断端２６４がシェブロン構造２８２に届き、部分２８８と交わる点を切断するのに十分にブレード構造２６２を移動することによって完了する。その後、開口部端２７６は、パケット構造２７２から完全に分離される。パケット構造２７２から開口部端２７６の完全な分離は、エンベロープ構造１７４からのストリップ構造の除去と同じようにエンベロープ構造２７４内からのストリップ構造の除去を可能にする。
【００６６】
ハンドヘルドカッター２４０は、使用者の片方の手の４本の指と親指の間に保持されることによって動かされる。シェブロン構造２８２におけるハンドヘルドカッター２４０の最初の配置は、部分２８８に対してブレード構造２６２を含むハンドヘルドカッター２４０の正しい方向を示すパケット構造２７２の外層の１つまたは両方のしるしによって容易にされ得る。あるいは、ハンドヘルドカッター２４０は、しるしを有さないパケット構造２７２のシェブロン構造２８２に最初に配置され得る。
【００６７】
ハンドヘルドカッター２４０によってパケット構造２７２を切断する代替の方法は、シェブロン構造２８２で切断を開始させる。図１７に示されるように、この方法はさらに、部分２８８の切断と同じ方法において、シェブロン構造２８４の方向において徐々に切断される部分２８８を与える。ハンドヘルドカッター２４０は、使用者の片方の手の４本の指と親指の間に保持されることによって動かされる。シェブロン構造２８２におけるハンドヘルドカッター２４０の最初の位置決めは、シェブロン構造２８４におけるハンドヘルドカッター２４０の最初の配置と同じ方法において、パケット構造２７２の外層の１つまたは両方のしるしによって容易にされ得る。あるいは、ハンドヘルドカッター２４０は、しるしを有さないパケット構造２７２のシェブロン構造２８４に最初に配置される。
【００６８】
ハンドヘルドカッター２４０の代替の実施形態は、図１〜図４、図６および図７に示されるように、カッターアセンブリ４２によって規定されるカッター構造と同じカッターアセンブリによって構成される。ハンドヘルドカッター２４０のさらなる代替の実施形態は、図８〜図１１および図１３〜図１５に示されるように、スライディングカッター１４０と同じスライディングカッターによって構成される。ハンドヘルドカッター２４０のさらなる代替の実施形態は、レーザーカッターによって構成される。ハンドヘルドカッター２４０の代替の実施形態は、パケット構造２７２を有する容器構造２２２に各々取り外し可能に収容され、それによって、それぞれのハンドヘルドカッターは、部分２８８を切断するために容器構造から取り外される。
【００６９】
本発明は、特定の好ましい実施形態を参照して記載されているが、多くの変更が記載された本発明の概念の趣旨および範囲内でなされ得ることは理解されるべきである。従って、本発明は開示された実施形態に制限されず、添付の特許請求の範囲の語句によって許容される十分な範囲を有することが意図される。
【図１】
2009537235.tif 000003
【図２】
2009537235.tif 000004
【図３】
2009537235.tif 000005
【図４】
2009537235.tif 000006
【図５】
2009537235.tif 000007
【図６】
2009537235.tif 000008
【図７】
2009537235.tif 000009
【図８】
2009537235.tif 000010
【図９】
2009537235.tif 000011
【図１０】
2009537235.tif 000012
【図１１】
2009537235.tif 000013
【図１２】
2009537235.tif 000014
【図１３】
2009537235.tif 000015
【図１４】
2009537235.tif 000016
【図１５】
2009537235.tif 000017
【図１６】
2009537235.tif 000018
【図１７】
2009537235.tif 000019
【国際調査報告】
2009537235.tif 000020
2009537235.tif 000021
2009537235.tif 000022
2009537235.tif 000023
2009537235.tif 000024